(57)【要約】【課題】ユーザが簡易に自らの聞こえレベルに応じて音の出力を最適化する調整を行うことができる音響機器、音響機器の最適化処理方法及びプログラムを提供する。【解決手段】入力操作に対応付けられた応答信号が出力される回答スイッチ２３と、出力音データに基づき音を出力させるスピーカ５と、周波数と音量のうちの少なくとも一方を任意に指定するテスト用の出力音データに基づくテスト用の音をスピーカ５から出力させ、テスト用の音がスピーカ５から発音された際の回答スイッチ２３からの応答信号に応じて周波数と音量のうちの少なくとも一方に関するユーザの聴覚特性を判定し、聴覚特性に基づいてスピーカ５からの発音に係る音響特性を設定する最適化処理部７１１と、を備えている。【選択図】図２
2018164207.tif 000002
【特許請求の範囲】
【請求項１】
入力操作に対応付けられた応答信号が出力される応答入力部と、
出力音データに基づき音を出力させる発音部と、
周波数と音量のうちの少なくとも一方を任意に指定するテスト用の前記出力音データに基づくテスト用の音を前記発音部から出力させ、前記テスト用の音が前記発音部から発音された際の前記応答入力部からの応答信号に応じて周波数と音量のうちの少なくとも一方に関するユーザの聴覚特性を判定し、前記聴覚特性に基づいて前記発音部からの発音に係る音響特性を設定する最適化処理部と、
を備えていることを特徴とする音響機器。
【請求項２】
前記最適化処理部は、前記聴覚特性に基づいて、周波数毎の異なる音響特性を示す周波数特性と音量毎の異なる音響特性を示す入出力特性のうちの少なくとも一方を設定することを特徴とする請求項１に記載の音響機器。
【請求項３】
前記発音部による前記テスト用の音の出力は、複数の異なる周波数の音を、設定された音量により順次出力するものであり、
前記最適化処理部は、各周波数の音を出力しているときの前記応答入力部からの入力操作の状況に応じて、前記複数の異なる周波数の音に対する前記ユーザにとっての聞こえ方の差を前記聴覚特性として判定することを特徴とする請求項１又は請求項２に記載の音響機器。
【請求項４】
前記発音部による前記テスト用の音の出力は、複数の異なる周波数についてそれぞれ音量を変えながら順次音の出力を行うものであり、
前記最適化処理部は、前記応答入力部からの入力操作が各周波数につきいずれの音量のときに行われたかの入力タイミングにより、各周波数の音が当該ユーザにとっての可聴音となる音量を判定することを特徴とする請求項１から請求項３のいずれか一項に記載の音響機器。
【請求項５】
前記出力音データは、ユーザに操作を促す指示音声データを含み、
前記発音部は、前記指示音声データに基づく指示音声の出力を行うことを特徴とする請求項１から請求項４のいずれか一項に記載の音響機器。
【請求項６】
前記指示音声データは、広くユーザの可聴音に含まれる周波数及び音量に設定されていることを特徴とする請求項５に記載の音響機器。
【請求項７】
前記発音部による前記テスト用データに基づく音出力は、特定の周波数において音量を変化させながら順次発音させていくものであり、
前記応答入力部は、音が聞こえない不聴レベル、音が聞こえる可聴レベル、音を煩く感じる不快レベルの少なくとも３つのレベルの間の変化タイミングを入力操作するものであり、
前記最適化処理部は、前記応答入力部からの入力操作が各周波数につきいずれの音量のときに行われたかの入力タイミングにより、各周波数の音が当該ユーザにとって各レベルとなる音量であるかを判定し、前記不快レベルのときに、前記入出力特性を調整するものであることを特徴とする請求項１から請求項６のいずれか一項に記載の音響機器。
【請求項８】
前記応答入力部は、押下操作により応答入力を行う１つのスイッチからなり、前記スイッチの長押し操作、短押し操作のそれぞれに異なる応答信号が対応付けられていることを特徴とする請求項１から請求項７のいずれか一項に記載の音響機器。
【請求項９】
外部からの音波が入力される音波入力部を備え、
前記最適化処理部は、ユーザの前記聴覚特性に応じて前記音波入力部の入力の感度、又は前記発音部の出力の増幅率における周波数特性を設定するものであることを特徴とする請求項１から請求項８のいずれか一項に記載の音響機器。
【請求項１０】
外部機器から音源データが入力される音源入力部を備え、
前記最適化処理部は、ユーザの前記聴覚特性に応じて前記音源入力部の入力の感度、又は前記発音部の出力の増幅率における周波数特性を設定するものであることを特徴とする請求項１から請求項８のいずれか一項に記載の音響機器。
【請求項１１】
前記発音部は、記憶部に記憶されている出力音データに基づいて発音するようになっており、
前記最適化処理部は、ユーザの前記聴覚特性に応じて前記発音部の出力の増幅率の周波数特性を設定するものであることを特徴とする請求項１から請求項１０のいずれか一項に記載の音響機器。
【請求項１２】
入力操作に対応付けられた応答信号が出力される応答入力工程と、
周波数と音量のうちの少なくとも一方を任意に指定するテスト用の前記出力音データに基づくテスト用の音を出力させる発音工程と、
前記発音工程において前記テスト用の音が発音された際の前記応答入力工程において出力される応答信号に応じて周波数と音量のうちの少なくとも一方に関するユーザの聴覚特性を判定し、前記聴覚特性に基づいて前記発音工程における発音に係る音響特性を設定する最適化処理工程と、
を含んでいることを特徴とする音響機器の最適化処理方法。
【請求項１３】
音響機器のコンピュータに、
入力操作に対応付けられた応答信号が出力される応答入力機能と、
周波数と音量のうちの少なくとも一方を任意に指定するテスト用の前記出力音データに基づくテスト用の音を出力させる発音機能と、
前記発音機能において前記テスト用の音が発音された際の前記応答入力機能におけるおいて出力される応答信号に応じて周波数と音量のうちの少なくとも一方に関するユーザの聴覚特性を判定し、前記聴覚特性に基づいて前記発音機能における発音に係る音響特性を設定する最適化処理機能と、
を実現させることを特徴とするコンピュータ読み取り可能なプログラム。
【発明の詳細な説明】
【技術分野】
【０００１】
本発明は、補聴器を代表とする音響機器、音響機器の最適化処理方法及びプログラムに関するものである。
【背景技術】
【０００２】
従来、補聴器やイヤホン、ヘッドフォン等、聴覚の補助や、音楽や他の情報の視聴などを目的とした音響機器（視聴覚機器）において、聞こえにくい周波数帯や聞きたい周波数帯はユーザごとに異なるため、聞きやすいレベルの出力音となるように最適化する調整が行われている。
例えば、補聴器では、専用の機器（オージオメータ）を用いて、所定周波数についての所定音量を変化させ、聞こえレベルを測定したものを音響特性に反映するのが一般的である。
【０００３】
しかし、専用の機器（オージオメータ）を用いた調整は、ユーザ側で行うことができず、専門店に出向いて専門の店員に依頼しなければならないため、煩わしかった。
この点、特許文献１には、マイクやスピーカが本体装置と別体に構成された補聴器において、本体装置側にユーザによって選択された周波数帯域についてイコライザアンプの周波数特性を調整することができる調整手段を備え、ユーザがイコライザアンプの周波数特性を自ら設定することができるものが開示されている。
このような機器では、専門店等に行かなくても、ユーザが自ら音の出力を調整することができる。
【先行技術文献】
【特許文献】
【０００４】
【特許文献１】特開平８−２９８６９９号公報
【発明の概要】
【発明が解決しようとする課題】
【０００５】
しかしながら、特許文献１に記載の機器では、ユーザがイヤホンで直接音を聞いて確認しながら複数設けられている調整用のつまみを調整する必要がある。このため、所望の音の出力ができるように調整するのに手間がかかり、また、思い通りの調整を行うことができないおそれもある。
また、調整用のつまみ部を複数設ける必要があるため、マイクやイヤホンとは別体の本体装置を備える場合のように、ある程度実装スペースに余裕があることが必要であり、耳かけ式の補聴器や通常のイヤホン等の小型の機器には適用することが難しいとの問題もある。
【０００６】
本発明は以上のような事情に鑑みてなされたものであり、ユーザが簡易に自らの聞こえレベルに応じて音の出力を最適化する調整を行うことができる音響機器、音響機器の最適化処理方法及びプログラムを提供することを目的とするものである。
【課題を解決するための手段】
【０００７】
前記課題を解決するために、本発明の音響機器は、
入力操作に対応付けられた応答信号が出力される応答入力部と、
出力音データに基づき音を出力させる発音部と、
周波数と音量のうちの少なくとも一方を任意に指定するテスト用の前記出力音データに基づくテスト用の音を前記発音部から出力させ、前記テスト用の音が前記発音部から発音された際の前記応答入力部からの応答信号に応じて周波数と音量のうちの少なくとも一方に関するユーザの聴覚特性を判定し、前記聴覚特性に基づいて前記発音部からの発音に係る音響特性を設定する最適化処理部と、
を備えていることを特徴としている。
【発明の効果】
【０００８】
本発明によれば、ユーザが簡易に自らの聞こえレベルに応じて音の出力を最適化する調整を行うことができる。
【図面の簡単な説明】
【０００９】
【図１】本実施形態における音響機器である補聴器の要部外観斜視図である。
【図２】本実施形態における音響機器である補聴器の制御構成を示した要部ブロック図である。
【図３】聴覚最適化処理のイメージを示す説明図である。
【図４】音量と聞こえレベルとの関係を示すグラフである。
【図５】ノンリニア最適化処理のイメージを示す説明図である。
【図６】本実施形態における音響機器の音出力処理を示すフローチャートである。
【図７】本実施形態における聴覚最適化処理を示すフローチャートである。
【図８】本実施形態におけるノンリニア最適化処理を示すフローチャートである。
【発明を実施するための形態】
【００１０】
図１から図８を参照しつつ、本発明に係る音響機器の一実施形態について説明する。本実施形態では、音響機器が補聴器である場合を例示するが、音響機器は補聴器に限定されない。
なお、以下に述べる実施形態には、本発明を実施するために技術的に好ましい種々の限定が付されているが、本発明の範囲を以下の実施形態及び図示例に限定するものではない。
【００１１】
《音響機器である補聴器の構成》
図１は、本実施形態における音響機器である補聴器の概略構成を示す要部外観斜視図である。また、図２は、本実施形態における補聴器の制御構成を示す要部ブロック図である。
図１に示すように、本実施形態の補聴器１は、耳かけ式となっており、補聴器本体２と、この補聴器本体２にアーム部３を介して接続されたイヤホンタイプのスピーカ５、及びマイク４等を備えている。
補聴器本体２には、聴覚最適化テスト開始スイッチ２１、ノンリニア最適化テスト開始スイッチ２２、回答スイッチ２３、ボリューム調整部２４、電源スイッチ２５等が設けられている。
【００１２】
マイク４は、外部からの音波（音データ）を集音して制御装置に入力する音波入力部である。
本実施形態では、マイク４は補聴器１をユーザが装着した際に、ユーザの耳穴近くに配置される位置に設けられている。
図２に示すように、マイク４はマイクプリアンプ４１を介して制御装置７と接続されている。マイクプリアンプ４１を介することにより、アナログ回路を安定させることができる。なお、マイクプリアンプ４１を設けることは必須ではない。
スピーカ５は、出力音データに基づき音を出力させる発音部である。
図２に示すように、スピーカ５は、スピーカアンプ５１を介して制御装置７と接続されており、後述する音出力制御部７１２の制御にしたがって、音の出力を行う。
本実施形態では、スピーカ５は補聴器１をユーザが装着した際に、ユーザの耳穴内に挿入されるようになっている。
【００１３】
聴覚最適化テスト開始スイッチ２１は、後述する聴覚最適化テストを開始させるためのスイッチである。
図２に示すように、聴覚最適化テスト開始スイッチ２１は制御装置７と接続されており、聴覚最適化テスト開始スイッチ２１が押下操作されることで最適化処理部７１１による聴覚最適化テストが開始される。
ノンリニア最適化テスト開始スイッチ２２は、後述するノンリニア最適化テストを開始させるためのスイッチである。
図２に示すように、ノンリニア最適化テスト開始スイッチ２２は制御装置７と接続されており、ノンリニア最適化テスト開始スイッチ２２が押下操作されることで最適化処理部７１１によるノンリニア最適化テストが開始される。
また、回答スイッチ２３は、ユーザによる操作が入力されることで入力操作に対応付けられた応答信号が出力される応答入力部である。本実施形態では聴覚最適化テスト及びノンリニア最適化テストにおいてユーザが回答を入力する。
本実施形態では、音声ガイドによって、「ＯＫ」や「ＹＥＳ」の場合にスイッチ操作を行うようにユーザに促すようになっており、ユーザによって回答スイッチ２３が押下操作されると、制御部７１の最適化処理部７１１にその旨の信号が入力される。
なお、回答スイッチ２３は、スイッチの長押し操作、短押し操作のそれぞれに異なる応答信号が対応付けられていてもよい。この場合、スイッチ数を少なくして装置構成を簡易なものとしつつ、各種の操作入力が可能となる。
【００１４】
ボリューム調整部２４は、例えば押圧する位置によってボリュームアップ又はボリュームダウンの指示信号を制御部７１に入力するものである。ボリューム調整部２４から指示信号が入力されると、音出力制御部７１２は当該指示信号に従ってスピーカ５から出力させる音のボリューム制御を行う。
電源スイッチ２５は、押下操作により補聴器１の電源のＯＮ／ＯＦＦを切り替えるものである。電源スイッチ２５が操作されると、当該操作信号が電源回路６１を介して制御装置７に送られ、制御部７１により電源のＯＮ／ＯＦＦ制御が行われる。
また、補聴器本体２の内部には、補聴器１各部に電力を供給する電源部を構成する電池６（例えばボタン電池等）や各種電子部品が搭載される回路基板２６等が配置されている。
【００１５】
本実施形態において、制御装置７は、例えばＬＳＩ等で構成されている補聴器１のコンピュータである。
この制御装置７や前述の電源回路６１は、例えば補聴器本体２の内部に設けられた回路基板２６に実装されている。
図２に示すように、補聴器１は、制御部７１及び記憶部７２を有する制御装置７を備えている。
また、制御装置７には、デジタルフィルタ（以下「ＤＳＰ７３」とする。）等が設けられている。制御装置７に設けられるＤＳＰ７３としては、例えばバンドバスフィルタ、ハイパスフィルタ、ローパスフィルタ、シェルビングフィルタ、グラフィックイコライザー、パラメトリックイコライザー等である。なお、制御装置７に設けられるＤＳＰ７３はここに例示したものに限定されず、各種フィルタを用いることができる。
【００１６】
記憶部７２は、制御部７１が各種機能を実現するために必要な情報を記憶するものである。
図２に示すように、記憶部７２は、補聴器１の全体を統括制御するためのシステムプログラム７２１の他、聴覚最適化プログラム７２２、ノンリニア最適化プログラム等のプログラムを記憶するプログラム記憶部７２０を備えている。
また、記憶部７２は、制御部７１が各種処理を行うために必要なデータを記憶している。
例えば、本実施形態の記憶部７２は、各種の音データを記憶している。具体的には、記憶部７２は、指示音声データを記憶する指示音声データ記憶領域７２４、テスト用音源データを記憶するテスト用音源データ記憶領域７２５を備えている。なお、これら指示音声データ記憶領域７２４やテスト用音源データ記憶領域７２５は、例えば波形ＲＯＭとして、制御装置７を構成するＬＳＩ等に集積されている。
【００１７】
指示音声データ記憶領域７２４に記憶されている指示音声データとは、本実施形態において行わる聴覚最適化テストやノンリニア最適化テストの際に、ユーザをガイドするための指示音声のデータである。
本実施形態では、指示音声データを備え、音声によってユーザをガイドする構成とすることにより、ユーザが操作に迷うことがなく、また表示部等を備える必要がないため、簡易な装置構成とすることができる。
テスト用音源データ記憶領域７２５に記憶されているテスト用音源データは、聴覚最適化テストやノンリニア最適化テストの際にテスト用に出力される音のデータ（以下において、テスト用の出力音データや単に音データともいう。）である。
本実施形態では、一般的な人の可聴音域に属する周波数の音がテスト用音源データとして記憶されており、例えば、周波数は１００ｈｚ、３００ｈｚ、５００ｈｚ、１０００ｈｚ、３０００ｈｚ、５０００ｈｚ、８０００ｈｚ、１２０００ｈｚ、１４０００ｈｚ等の周波数が用意されている。なお、テスト用音源データは、ここに例示したものに限定されない。
【００１８】
また、記憶部７２は、最適化情報を記憶する最適化情報記憶領域７２６等を備えている。
最適化情報記憶領域７２６に記憶されている最適化情報とは、ユーザに対して聴覚最適化テストやノンリニア最適化テストを行った結果得られるユーザ固有の情報であり、ユーザが各周波数について聞くことのできる最低限の音量のデータや、ユーザが各周波数の音について不快（煩い）と感じる最低限の音量のデータ等である。最適化情報は、上記テストを行うことで新たな結果が得られた場合には、書き換え・更新が可能となっている。
また、本実施形態のように、ユーザに対して各周波数について聞くことのできる最低限の音量を調べる聴覚最適化テストとユーザが各周波数の音について不快（煩い）と感じる最低限の音量を調べるノンリニア最適化テストの両方を行っている場合、当該両方のテストの結果得られる範囲（すなわち、不快感を感じることなく聞き取ることのできる音の範囲）のデータもユーザの最適化情報として最適化情報記憶領域７２６に記憶されている。
【００１９】
制御部７１は、ＣＰＵ等の処理ＩＣにより構成されている。本実施形態において、制御部７１は、最適化処理部７１１、音出力制御部７１２として機能する。制御部７１の最適化処理部７１１、音出力制御部７１２としての機能は、制御部７１のＣＰＵ等と記憶部７２のプログラム記憶部７２０に記憶されている各種のプログラムとが協働することにより実現される。
【００２０】
最適化処理部７１１は、周波数と音量のうちの少なくとも一方を任意に指定するテスト用の出力音データに基づくテスト用の音をスピーカ５から出力させ、テスト用の音がスピーカ５から発音された際の回答スイッチ２３からの応答信号に応じて周波数と音量のうちの少なくとも一方に関するユーザの聴覚特性を判定し、聴覚特性に基づいてスピーカ５からの発音に係る音響特性を設定するものである。音響特性には、主として、周波数特性、入出力特性が含まれる。
ここで、発音部であるスピーカ５からの発音に係る周波数特性の設定とは、補聴器１に入力された音について、各周波数ごとにユーザにとって聞こえやすいレベルまでゲインを上げる信号処理を行うことをいう。
また、発音部であるスピーカ５からの発音に係る入出力特性の設定とは、補聴器１への入力音の大きさに応じてスピーカ５からの出力における増幅度を制御するノンリニア増幅を行うことをいう。
以下、最適化処理部７１１による音響特性の設定（すなわち、本実施形態では、周波数特性の設定及び入出力特性の設定）について具体的に説明する。
【００２１】
具体的には、まず最適化処理部７１１は、聴覚適正化テストを行い、任意の周波数について、ユーザが聞くことのできる音量はどのレベルであるかの情報を取得して、これに基づき、ユーザにとって聞こえにくい周波数についてはゲインを上げて聴こえやすくする処理を行う。
図３は、聴覚最適化処理のイメージを示す説明図である。図３において一番上の横線（破線）は、聴覚が正常レベルである場合を示しており、各周波数においてほぼフラットなゲインを示している。これに対して、図３に示すカーブは、上からそれぞれ、４０代、５０代、７０代の人の各周波数におけるゲインの例を示しており、高い周波数ほどゲインが下がり、聴力が落ちていることを示している。
このように、人は年齢が上がるにしたがって高い周波数の音が聞きづらくなり、ゲインが落ちていく。例えば、７０代の例として示した曲線では、正常な聴覚の人の場合と比べて、大きくゲインが落ちる。この場合、正常な聴覚の人と同様の聞こえレベルを実現するには、各周波数について上向き矢印で示す分だけゲインを上げる調整を行う必要がある。ゲインを上げる調整の手法は特に限定されないが、例えば、シェルビングフィルタ等のＤＳＰ７３にユーザの聴覚特性に基づくゲインを設定して、各周波数において必要な分だけ（すなわち、図３において矢印で示す分だけ）ゲインをブーストする。
具体的には、例えば、ユーザの聞こえレベルが周波数１０００ｈｚにおいて３ｄＢであれば、最適化処理部７１１は、補聴器１における周波数１０００ｈｚにおけるゲインを３ｄＢにアップさせる。また、例えば周波数１４０００ｈｚにおいて２０ｄｂであれば、周波数１４０００ｈｚにおけるゲインを２０ｄＢとなるようにシェルビングフィルタ等のＤＳＰ７３のゲインを調整する。
このようにして、各周波数のシェルビングフィルタ等のＤＳＰ７３のゲインを調整して、ユーザにとって最適化された値として設定させることにより、ユーザにとってフラットな聞こえレベルを提供することができる。
【００２２】
また、最適化処理部７１１は、ノンリニア最適化テストを行い、任意の周波数について、ユーザが煩すぎて不快であると感じる音量はどのレベルであるかの情報を取得して、これに基づき、各周波数につき、ユーザにとって不快なレベルの音量とならないように入出力特性を調整する処理を行う。
図４は、音量と聞こえレベルとの関係を示すグラフであり、図５は、ノンリニア最適化処理のイメージを示す説明図である。
通常、正常な聴覚を有する人では、ある周波数について音量を上げていくと、ある音量を超えたところから音が聞こえ始め、聞こえレベルがリニアに上がっていく。そして、破線で示す一定レベルを超えると煩くて不快であると感じる。
図４において実線Ａは可聴レベルａの音量レベルから音が聞こえ始める人の聞こえレベルと音量との関係を示し、実線Ｂは可聴レベルｂの音量レベルから音が聞こえ始める人の聞こえレベルと音量との関係を示している。図４に示すように、正常な聴覚を有する人では、実線Ａ，Ｂで示すように、ある周波数について聞こえ始める音量レベル（可聴レベル）が異なっても、入力された音量が大きいほど出力される音量もリニア（線形）に上げていくことで聞こえやすさも向上するという関係を示す。
しかし、例えば、難聴の場合、障害のある器官の違いによって、音を神経まで伝達する器官の障害による難聴である「伝音性難聴」、聴覚神経等の障害による難聴である「感音性難聴」、これら両方が混合している「混合性難聴障害」の３種類があるが、「感音性難聴」の場合、小さな音は聞こえ難くく、聞こえ始める音量は高めであるが、ある程度以上の大きな音になると健聴者と同じかそれ以上に煩く不快に感じるという特徴がある。
例えば図４の実線Ｃは、「感音性難聴」の人の聞こえ方を例示したものであり、実線Ｂと同様に可聴レベルｂの音量レベルから音が聞こえ始めるが、実線Ｂで示した例と異なり、急激に聞こえレベルが上がって、正常な人では不快と感じない音量でも煩くて不快と感じるレベルに達している。
このため、このような特徴を有するユーザの場合、単に入力と出力との関係をリニアに変化させたのでは突然不快なレベルに達し、好ましくない。
【００２３】
そこで、本実施形態の最適化処理部７１１は、出力がユーザにとっての不快レベルを超えないように、ノンリニア最適化テストの結果に基づいて、各周波数ごとの入力と出力との関係をノンリニアに補正する。
すなわち、例えば、図５に実線Ｄとして示すように、正常な聴覚を有する人であれば入力と出力との関係が線形となるのに対して、「感音性難聴」等により聞こえ始めてからいきなり不快レベルに到達するようなユーザの場合には、実線Ｕで示すように、各周波数の音についてユーザが聞こえ始める音量レベル（図５において「可聴限界」として破線で示すレベル）から、不快に感じる音量レベル（図５において「ユーザの不快レベル」として一点鎖線で示すレベル）までの範囲内に出力レベルが収まるように下向き矢印で示すように適宜出力レベルを下げる調整を行う。
具体的には、最適化処理部７１１は、ノンリニア最適化テストの結果に基づくユーザの聴覚特性に応じて発音部であるスピーカ５の出力の増幅率の周波数特性を設定し、これに応じたノンリニアに増幅する増幅曲線（図５の実線Ｕ参照）を設定する。
これにより、一般の人が不快と感じるレベル（図５において「一般の不快レベル」として破線で示すレベル）よりも低いレベルで煩くて不快であると感じるユーザにとっても、聞きやすい補聴器１とすることができる。
【００２４】
また、音出力制御部７１２は、発音部であるスピーカ５からの音の出力を制御するものである。具体的には音出力制御部７１２は、ユーザの聴覚特性に対応して最適化処理部７１１によって設定されたフィルタや増幅曲線を適用して、ユーザの聴覚特性に応じた音の出力をスピーカ５から行わせる。
【００２５】
《音響機器である補聴器の作用》
次に、本実施形態における音響機器である補聴器１の作用について説明する。
図６は、本実施形態における補聴器による処理の全体を示すフローチャートである。
図６に示すように、補聴器１の電源スイッチ２５がＯＮとなると（ステップＳ１）、イニシャライズ（ステップＳ２）が行われた後、制御装置７により補聴処理（ステップＳ３）が行われる。補聴処理は、ユーザにとって聞きやすい音で音の出力を行う本実施形態の補聴器１の本体的な処理である。補聴処理としては、例えば、マイク４からマイクプリアンプ４１を介して外部の音波（音データ）が入力されると、制御部７１は当該入力音データについて、その入力の大きさに応じて該当周波数ごとに感度を調節するＡＧＣ（オートゲインコントロール）処理を行う。
そして、記憶部７２の最適化情報記憶領域７２６からユーザの聴覚最適化情報やノンリニア最適化情報等の調整用データに基づいて最適化処理部７１１において設定されたシェルビングフィルタ（聴覚最適化補正値）や増幅曲線（ノンリニア最適化補正値）を読み出して入力音データに適用し、周波数やゲインの調整を行う。そして、音出力制御部７１２は、調整後の音データを、スピーカアンプ５１を介してスピーカ（イヤホン）５から出力させる。
電源がＯＮとなっている間、制御部７１は常に聴覚最適化テスト開始スイッチ２１がＯＮとされたか否かを判断し（ステップＳ４）、聴覚最適化テスト開始スイッチ２１がＯＮとされた場合（ステップＳ４；ＹＥＳ）には、聴覚最適化処理に移行する（ステップＳ５、図７参照）。
他方、聴覚最適化テスト開始スイッチ２１がＯＮとされない場合（ステップＳ４；ＮＯ）には、制御部７１は、ノンリニア最適化テスト開始スイッチ２２がＯＮとされたか否かを判断し（ステップＳ６）、ノンリニア最適化テスト開始スイッチ２２がＯＮとされた場合（ステップＳ６；ＹＥＳ）には、ノンリニア最適化処理に移行する（ステップＳ７、図８参照）。
【００２６】
聴覚最適化テスト開始スイッチ２１もノンリニア最適化テスト開始スイッチ２２もＯＮとされない場合（すなわち、ステップＳ４；ＮＯ、ステップＳ６；ＮＯ）、及びノンリニア最適化処理（ステップＳ７）が完了した場合には、制御部７１は、さらに電源スイッチ２５がＯＦＦとなったか否かを判断し（ステップＳ８）、電源スイッチ２５がＯＦＦとなった場合（ステップＳ８；ＹＥＳ）には、装置電源をＯＦＦとして処理を終了する。他方、電源スイッチ２５がＯＦＦとなっていない場合（ステップＳ８；ＮＯ）には、ステップＳ３に戻り、聴覚最適化処理（ステップＳ５）やノンリニア最適化処理（ステップＳ７）が行われた場合には、当該結果を反映した補聴処理（ステップＳ３）等を繰り返す。
【００２７】
図７は、図６に示す聴覚最適化処理（ステップＳ５）の詳細を示したものである。
聴覚最適化テスト開始スイッチ２１がＯＮとされると（図６のステップＳ４；ＹＥＳ）、制御部７１の最適化処理部７１１は指示音声データ記憶領域７２４から指示音声データを読み出して、例えば「音が聞こえたら回答スイッチを押してください」との音声をスピーカ５から出力させる（ステップＳ１１）。
なお、この操作指示のための音声は、多くのユーザにとって聞き取ることのできる低い周波数の音で出力させることが好ましい。また、その音量もユーザにとって不快とならない範囲内で十分大きな音量とすることが好ましい。
そして、最適化処理部７１１は、テスト用音源データ記憶領域７２５からテスト用音源データを読み出し、これに基づくテスト用の音をスピーカ５から出力させるとともに、タイマー１０秒を設定する（ステップＳ１２）。例えば、周波数１００ｈｚ、３００ｈｚ、５００ｈｚ、１０００ｈｚ、３０００ｈｚ、５０００ｈｚ、８０００ｈｚ、１２０００ｈｚ、１４０００ｈｚの９ポイントにおいて聴覚最適化処理を行う場合、まず一番低い周波数である１００ｈｚのテスト用の音をテスト時の音量として設定されているうちの最低音量で１０秒間スピーカ５から出力させる。なお、テスト用の音を出力させる時間は１０秒間に限定されず、適宜設定可能である。
最適化処理部７１１は回答スイッチ２３が操作されたか否かを判断し（ステップＳ１３）、回答スイッチ２３が操作されない場合（ステップＳ１３；ＮＯ）には、最適化処理部７１１は、さらに１０秒が経過したか否かを判断する（ステップＳ１４）。１０秒が経過していない場合（ステップＳ１４；ＮＯ）には、ステップＳ１３に戻って処理を繰り返す。
他方、１０秒が経過した場合（ステップＳ１４；ＹＥＳ）には、最適化処理部７１１はさらに当該周波数の音についてテストで想定している最大音量Ｎまでテストが終了したか否かを判断する（ステップＳ１５）。当該周波数の音について最大音量Ｎまで終了していない場合（ステップＳ１５；ＮＯ）には、最適化処理部７１１は指示音声データ記憶領域７２４から指示音声データを読み出して、例えば「次の音量です」との音声をスピーカ５から出力させるとともに（ステップＳ１６）、当該周波数の音について音量を一段階（例えば３ｄＢ）上げ（ステップＳ１７）、ステップＳ１１に戻って処理を繰り返す。
【００２８】
他方、音が聞こえたとしてユーザにより回答スイッチ２３が操作され（ステップＳ１３；ＹＥＳ）、最適化処理部７１１が当該周波数についてユーザが聞き取ることのできる音量と判定した場合（ステップＳ１８）又はある周波数について最大音量Ｎまでテストが終了し（ステップＳ１５；ＹＥＳ）、当該周波数の音はユーザに聞こえないと最適化処理部７１１が判定した場合（ステップＳ１９）には、最適化処理部７１１はテストにおいて予定されている全ての周波数Ｎ（例えば１４０００ｈｚ）の音についてテストが終了したか否かを判断する（ステップＳ２０）。
そして、全ての周波数Ｎの音についてテストが終了していない場合（ステップＳ２０；ＮＯ）には、最適化処理部７１１は指示音声データ記憶領域７２４から指示音声を読み出して、例えば「次の周波数の音です」との音声をスピーカ５から出力させるとともに（ステップＳ２１）、周波数を次の周波数（例えば３００ｈｚ）に変更する（ステップＳ２２）。すなわち、最適化処理部７１１は、テスト用音源データ記憶領域７２５から次の周波数の音のテスト用音源データを読み出す。そしてステップＳ１１に戻って同様に処理を繰り返す。
【００２９】
他方、全ての周波数Ｎの音についてテストが終了した場合（ステップＳ２０；ＹＥＳ）には、最適化処理部７１１は指示音声データ記憶領域７２４から指示音声を読み出して、例えば「聴覚最適化処理が終了しました」との音声をスピーカ５から出力させる（ステップＳ２３）。
そして、当該テストにおいて各周波数についての音量レベル（ゲイン）と決定された結果をユーザの聴覚特性を示す聴覚最適化情報（調整用データ）として最適化情報記憶領域７２６に記憶させて（ステップＳ２４）、聴覚最適化処理を終了する。また最適化処理部７１１は、シェルビングフィルタにユーザの聴覚特性に基づくゲインを設定し、次の補聴処理（図６におけるステップＳ３）が行われる際にはこのシェルビングフィルタ等のＤＳＰ７３を音データに適用して周波数特性の調整を行う。
【００３０】
図８は、図６に示すノンリニア最適化処理（ステップＳ７）の詳細を示したものである。
ノンリニア最適化テスト開始スイッチ２２がＯＮとされると（図６のステップＳ４；ＹＥＳ）、制御部７１の最適化処理部７１１は指示音声データ記憶領域７２４から指示音声データを読み出して、例えば「音が不快と感じたら回答スイッチを押してください」との音声をスピーカ５から出力させる（ステップＳ３１）。
なお、この操作指示のための音声は、多くのユーザにとって聞き取ることのできる低い周波数の音で出力させることが好ましい。また、その音量も不快とならない範囲内で十分大きな音量とすることが好ましい。
そして、最適化処理部７１１は、テスト用音源データ記憶領域７２５からテスト用音源データを読み出し、これに基づくテスト用の音をスピーカ５から出力させるとともに、タイマー１０秒を設定する（ステップＳ３２）。最適化処理部７１１は回答スイッチ２３が操作されたか否かを判断し（ステップＳ３３）、回答スイッチ２３が操作されない場合（ステップＳ３３；ＮＯ）には、最適化処理部７１１は、さらに１０秒が経過したか否かを判断する（ステップＳ３４）。１０秒が経過していない場合（ステップＳ３４；ＮＯ）には、ステップＳ３３に戻って処理を繰り返す。
他方、１０秒が経過した場合（ステップＳ３４；ＹＥＳ）には、最適化処理部７１１はさらに当該周波数の音について最大音量Ｎまで終了したか否かを判断する（ステップＳ３５）。当該周波数の音について最大音量Ｎまで終了していない場合（ステップＳ３５；ＮＯ）には、最適化処理部７１１は指示音声データ記憶領域７２４から指示音声データを読み出して、例えば「次の音量です」との音声をスピーカ５から出力させるとともに（ステップＳ３６）、当該周波数の音について音量を一段階（例えば３ｄＢ）上げ（ステップＳ３７）、ステップＳ３１に戻って処理を繰り返す。
【００３１】
他方、音が聞こえたとしてユーザにより回答スイッチ２３が操作され（ステップＳ３３；ＹＥＳ）、最適化処理部７１１が当該周波数についてユーザが聞き取ることのできる音量と判定した場合（ステップＳ３８）又はある周波数について最大音量Ｎまでテストが終了し（ステップＳ３５；ＹＥＳ）、当該周波数の音はユーザに聞こえないと最適化処理部７１１が判定した場合（ステップＳ３９）には、最適化処理部７１１は全ての周波数Ｎの音についてテストが終了したか否かを判断する（ステップＳ４０）。
そして、全ての周波数Ｎの音についてテストが終了していない場合（ステップＳ４０；ＮＯ）には、最適化処理部７１１は指示音声データ記憶領域７２４から指示音声を読み出して、例えば「次の周波数の音です」との音声をスピーカ５から出力させるとともに（ステップＳ４１）、周波数を変更する（ステップＳ４２）。すなわち、最適化処理部７１１は、テスト用音源データ記憶領域７２５から次の周波数の音のテスト用音源データを読み出す。そしてステップＳ３１に戻って同様に処理を繰り返す。
【００３２】
他方、全ての周波数Ｎの音についてテストが終了した場合（ステップＳ４０；ＹＥＳ）には、最適化処理部７１１は指示音声データ記憶領域７２４から指示音声を読み出して、例えば「ノンリニア最適化処理が終了しました」との音声をスピーカ５から出力させる（ステップＳ４３）。
そして、当該テストにおいて各周波数について不快な音量レベル（ゲイン）と決定された結果をユーザの聴覚特性を示すノンリニア最適化情報（調整用データ）として最適化情報記憶領域７２６に記憶させて（ステップＳ４４）、ノンリニア最適化処理を終了する。
また最適化処理部７１１は、聴覚最適化処理結果及びノンリニア最適化処理結果（すなわち、各周波数においてユーザにとって音が聞こえる可聴限界から不快と感じる不快レベル）を反映した増幅曲線を設定し（ステップＳ４５）、次の補聴処理（図６におけるステップＳ３）が行われる際にはこの増幅曲線を音データに適用して入出力特性の調整を行う。
なお、ここでは最適化処理部７１１による、ユーザの聴覚特性に応じてスピーカ５の出力の増幅率における周波数特性について説明したが、例えばマイク４の入力の感度等にもユーザの聴覚特性に応じた調整を行ってもよい。
【００３３】
《音響機器である補聴器の効果》
以上のように、本実施形態によれば、任意の周波数及び／又は任意の音量の出力音データに基づくテスト用の音をスピーカ５から出力させ、当該テスト用の音がスピーカ５から発音された際の回答スイッチ２３からの入力操作に応じて最適化処理部７１１が周波数及び／又は音量に関するユーザの聴覚特性を判定し、この聴覚特性に基づいてスピーカ５からの発音に係る周波数特性または入出力特性を設定する。
これにより、専門店等の専用機を用いて設定を行わなくても、ユーザが自らの聴覚特性に合った出力音となるように補聴器１の調整を行うことができる。
また、本実施形態では、複数の異なる周波数につきそれぞれ音量を変えながらテスト用の音を順次出力させ、回答スイッチ２３からの入力操作が各周波数につきいずれの音量のときに行われたかの入力タイミングにより、各周波数の音が当該ユーザにとっての可聴音となる音量を判定するようになっている。
このため、ユーザはスピーカ５から出力される音が聞こえたら入力操作を行うという簡易な手法で補聴器１の調整を行うことができる。
【００３４】
また、本実施形態では、出力音データは、ユーザに操作を促す指示音声データを含んでおり、スピーカ５から指示音声データに基づく指示音声の出力を行うことができる。
このように音声によるガイドが行われることにより、表示部等を別途備えなくてもユーザは操作手順等を把握することができる。また、次の操作に移行する際等にも音声によるガイドがなされることで、ユーザは操作に迷うことなく安心してテストを行うことができる。
また、この指示音声データは、広くユーザの可聴音に含まれる周波数及び音量に設定されている。
このため、ユーザが指示音声を聞き逃す回避することができる。
【００３５】
また、本実施形態ではスピーカ５によるテスト用の音データに基づく出力音が、特定の周波数において音量を変化させながら順次発音させていくものである。このため、ユーザは唐突に音を聞かされることなく落ち着いて操作を行うことができる。
さらに本実施形態のスピーカ５は、音が聞こえない不聴レベル、音が聞こえる可聴レベル、音を煩く感じる不快レベルの少なくとも３つのレベルの間の変化タイミングを入力操作するものであり、最適化処理部７１１は、回答スイッチ２３からの入力操作が各周波数につきいずれの音量のときに行われたかの入力タイミングにより、各周波数の音が当該ユーザにとって各レベルとなる音量であるかを判定する。これにより簡易に音の聞こえレベルの判定を行うことができる。また、不快レベルとなったときには最適化処理部７１１により入出力特性を調整する。このように、入出力特性が調整されるため、ユーザが不快と感じるほどの大きな音を聞くこととなるおそれを回避して聞き心地のよい補聴器を実現することができる。
【００３６】
また、本実施形態の応答入力部として、押下操作により応答入力を行う１つの回答スイッチ２３を採用し、当該回答スイッチ２３において、スイッチの長押し操作、短押し操作のそれぞれに異なる応答信号が対応付けた場合には、、スイッチ（ボタン等の入力部）の数を少なくして装置構成を簡易なものとして装置の小型化等を実現可能としつつ、各種の操作入力を可能とすることができる。
【００３７】
また、本実施形態では、外部からの音波が入力される音波入力部としてマイク４を備え、最適化処理部７１１は、ユーザの聴覚特性に応じてマイク４の入力の感度、又はスピーカ５の出力の増幅率における周波数特性を設定する。このため、マイク４からどのような音が入力された場合でもユーザの聴覚特性に合った適切な出力音をさせることができる。
【００３８】
《変形例》
なお、以上本発明の実施形態について説明したが、本発明は、かかる実施形態に限定されず、その要旨を逸脱しない範囲で、種々変形が可能であることは言うまでもない。
【００３９】
例えば、本実施形態では、音響機器が耳かけ式の補聴器である場合を例示したが、耳穴内に嵌め込んで使用する耳穴式の補聴器でもよいし、首から下げる方式の補聴器でもよい。
音響機器は補聴器に限定されず、補聴器として医療認可をうけていない「集音器」でもよい。
さらに、音響機器は、音が聞こえにくい場合にその改善を行う「補聴」のための機器に限定されず、ユーザに対して所望の聞こえ具合となるように音響を補正するものであれば適用可能であり、ＰＡ（Public Address）システム等、室内に設置されたスピーカシステムや手元に置いて用いるスピーカ等に対しても広く適用することが可能である。
【００４０】
また、本実施形態では、外部からの音波が入力される音波入力部としてマイク４を備える場合を例示したが、入力音はマイク４からの音に限定されない。
例えば、音響機器が音楽再生機器であるような場合、外部機器から音源データが入力される入力端子等の音源入力部を備えていてもよい。
この場合、最適化処理部７１１は、ユーザの聴覚特性に応じて入力端子の入力の感度、又はスピーカ５の出力の増幅率における周波数特性を設定してもよい。
このようにすることで、楽曲データ等を外部から取り込んで再生させる音響機器である場合にもユーザの聴覚特性に応じた音の出力を行うように音響機器を調整することができる。
さらに、スピーカ５は、記憶部等に記憶されている出力音データに基づいて発音するものであってもよい。この場合にも最適化処理部７１１は、ユーザの聴覚特性に応じてスピーカ５の出力の増幅率の周波数特性を設定することで、ユーザにとって聞きやすい音で出力される音響機器を実現することができる。
【００４１】
また、本実施形態では、最適化処理部７１１が周波数ごとのゲインを調整する聴覚最適化処理と、入出力特性を調整するノンリニア最適化処理とを行う場合を例示したが、聴覚最適化処理とノンリニア最適化処理とを両方行うことは必須ではなく、最適化処理部７１１は、これらのうちいずれか一方のみを行うものであってもよい。
【００４２】
また、本実施形態では、指示音声データとは別にテスト用音源を用意する例について説明したが、例えば指示音声データをテスト用の音源として用いてもよい。この場合にはユーザが指示音声を聞いて、これに対して応答を返すことで当該周波数の音が当該音量で聞き取ることができたと判断することができる。
この場合、記憶部７２に記憶させておくデータ量を少なくすることができるとともに、各音量のテスト用の音を順次聞くよりも全体のテスト時間を短くすることが期待できる。
【００４３】
また、本実施形態では、各周波数の音について小さな音量から出力させ、ユーザが聞き取れない場合に徐々に音量を上げていく手法を採用する例を示したが、テストの手法はこれに限定されない。
例えば、大きな音量から順次出力させ、ユーザが聞こえなくなった（すなわち応答しなくなった）タイミングをもって、ユーザの可聴限界を判断してもよい。
この場合、音が聞こえる状態からテストが開始されるため、ユーザは安心感を持ってテストに臨むことができる。
【００４４】
また、本実施形態では、ユーザが音を聞き取ったときに回答スイッチ２３を操作するように促す例を示したが、応答の仕方はこれに限定されず、例えば、音が聞こえていると思う間はずっと回答スイッチ２３を押し続けるようにユーザに促してもよい。このようにすることで、例えば、「次の音量の音です」等のアナウンスを聞くことで実際には音が聞こえなくても聞こえたような気がして回答スイッチ２３を押してしまうと言ったようなボタンの押し誤り等を防止して、ユーザに音が聞こえているか否かを確実に判定することができる。
【００４５】
また、本実施形態では、周波数１００ｈｚ、３００ｈｚ、５００ｈｚ、１０００ｈｚ、３０００ｈｚ、５０００ｈｚ、８０００ｈｚ、１２０００ｈｚ、１４０００ｈｚの９ポイントにおいてユーザの聴覚特性を調べるテストを行う例を示したが、テストを行う周波数は上記９ポイントに限定されない。これよりも少ないポイントでテストを行ってもよいし、さらに細かく複数の周波数についてテストを行ってもよい。
【００４６】
また、本実施形態では、最適化処理部７１１によるテストにおいて、各周波数につき徐々に音量を上げながら当該周波数の音をユーザが聞き取ることのできる音量レベルを判定する場合を例示したが、テストの手法はこれに限定されない。
例えば、平均的なユーザにとって聞こえるか聞こえないかの境界の音量を基準音量として設定し、この設定した音量（基準音量）で各周波数の音を出力して、各周波数の音が出力されているときにユーザによる入力操作があったか否か（入力操作の状況）に応じて、各周波数において基準音量の音が聞こえたか否かを判定し、基準音量の音ではユーザが聞き取ることのできなかった周波数について、そのゲインをより高く調整するようにしてもよい。
【００４７】
以上本発明のいくつかの実施形態を説明したが、本発明の範囲は、上述の実施の形態に限定するものではなく、特許請求の範囲に記載された発明の範囲とその均等の範囲を含む。
以下に、この出願の願書に最初に添付した特許請求の範囲に記載した発明を付記する。付記に記載した請求項の項番は、この出願の願書に最初に添付した特許請求の範囲の通りである。
〔付記〕
＜請求項１＞
入力操作に対応付けられた応答信号が出力される応答入力部と、
出力音データに基づき音を出力させる発音部と、
周波数と音量のうちの少なくとも一方を任意に指定するテスト用の前記出力音データに基づくテスト用の音を前記発音部から出力させ、前記テスト用の音が前記発音部から発音された際の前記応答入力部からの応答信号に応じて周波数と音量のうちの少なくとも一方に関するユーザの聴覚特性を判定し、前記聴覚特性に基づいて前記発音部からの発音に係る音響特性を設定する最適化処理部と、
を備えていることを特徴とする音響機器。
＜請求項２＞
前記最適化処理部は、前記聴覚特性に基づいて、周波数毎の異なる音響特性を示す周波数特性と音量毎の異なる音響特性を示す入出力特性のうちの少なくとも一方を設定することを特徴とする請求項１に記載の音響機器。
＜請求項３＞
前記発音部による前記テスト用の音の出力は、複数の異なる周波数の音を、設定された音量により順次出力するものであり、
前記最適化処理部は、各周波数の音を出力しているときの前記応答入力部からの入力操作の状況に応じて、前記複数の異なる周波数の音に対する前記ユーザにとっての聞こえ方の差を前記聴覚特性として判定することを特徴とする請求項１又は請求項２に記載の音響機器。
＜請求項４＞
前記発音部による前記テスト用の音の出力は、複数の異なる周波数についてそれぞれ音量を変えながら順次音の出力を行うものであり、
前記最適化処理部は、前記応答入力部からの入力操作が各周波数につきいずれの音量のときに行われたかの入力タイミングにより、各周波数の音が当該ユーザにとっての可聴音となる音量を判定することを特徴とする請求項１から請求項３のいずれか一項に記載の音響機器。
＜請求項５＞
前記出力音データは、ユーザに操作を促す指示音声データを含み、
前記発音部は、前記指示音声データに基づく指示音声の出力を行うことを特徴とする請求項１から請求項４のいずれか一項に記載の音響機器。
＜請求項６＞
前記指示音声データは、広くユーザの可聴音に含まれる周波数及び音量に設定されていることを特徴とする請求項５に記載の音響機器。
＜請求項７＞
前記発音部による前記テスト用データに基づく音の出力は、特定の周波数において音量を変化させながら順次発音させていくものであり、
前記応答入力部は、音が聞こえない不聴レベル、音が聞こえる可聴レベル、音を煩く感じる不快レベルの少なくとも３つのレベルの間の変化タイミングを入力操作するものであり、
前記最適化処理部は、前記応答入力部からの入力操作が各周波数につきいずれの音量のときに行われたかの入力タイミングにより、各周波数の音が当該ユーザにとって各レベルとなる音量であるかを判定し、前記不快レベルのときに、前記入出力特性を調整するものであることを特徴とする請求項１から請求項６のいずれか一項に記載の音響機器。
＜請求項８＞
前記応答入力部は、押下操作により応答入力を行う１つのスイッチからなり、前記スイッチの長押し操作、短押し操作のそれぞれに異なる応答信号が対応付けられていることを特徴とする請求項１から請求項７のいずれか一項に記載の音響機器。
＜請求項９＞
外部からの音波が入力される音波入力部を備え、
前記最適化処理部は、ユーザの前記聴覚特性に応じて前記音波入力部の入力の感度、又は前記発音部の出力の増幅率における周波数特性を設定するものであることを特徴とする請求項１から請求項８のいずれか一項に記載の音響機器。
＜請求項１０＞
外部機器から音源データが入力される音源入力部を備え、
前記最適化処理部は、ユーザの前記聴覚特性に応じて前記音源入力部の入力の感度、又は前記発音部の出力の増幅率における周波数特性を設定するものであることを特徴とする請求項１から請求項８のいずれか一項に記載の音響機器。
＜請求項１１＞
前記発音部は、記憶部に記憶されている出力音データに基づいて発音するようになっており、
前記最適化処理部は、ユーザの前記聴覚特性に応じて前記発音部の出力の増幅率の周波数特性を設定するものであることを特徴とする請求項１から請求項１０のいずれか一項に記載の音響機器。
＜請求項１２＞
入力操作に対応付けられた応答信号が出力される応答入力工程と、
周波数と音量のうちの少なくとも一方を任意に指定するテスト用の出力音データに基づくテスト用の音を出力させる発音工程と、
前記発音工程において前記テスト用の音が発音された際の前記応答入力工程において出力される応答信号に応じて周波数と音量のうちの少なくとも一方に関するユーザの聴覚特性を判定し、前記聴覚特性に基づいて前記発音工程における発音に係る音響特性を設定する最適化処理工程と、
を含んでいることを特徴とする音響機器の最適化処理方法。
＜請求項１３＞
音響機器のコンピュータに、
入力操作に対応付けられた応答信号が出力される応答入力機能と、
周波数と音量のうちの少なくとも一方を任意に指定するテスト用の出力音データに基づくテスト用の音を出力させる発音機能と、
前記発音機能において前記テスト用音声が発音された際の前記応答入力機能におけるおいて出力される応答信号に応じて周波数と音量のうちの少なくとも一方に関するユーザの聴覚特性を判定し、前記聴覚特性に基づいて前記発音機能における発音に係る音響特性を設定する最適化処理機能と、
を実現させることを特徴とするコンピュータ読み取り可能なプログラム。
【符号の説明】
【００４８】
１          補聴器
４          マイク
５          スピーカ
２１        聴覚最適化テスト開始スイッチ
２２        ノンリニア最適化テスト開始スイッチ
２３        回答スイッチ
７１        制御部
７２        記憶部
７３        ＤＳＰ
７１１      最適化処理部
７１２      音出力制御部
７２２      聴覚最適化プログラム
７２３      ノンリニア最適化プログラム
７２４      指示音声データ記憶領域
７２５      テスト用音源データ記憶領域
７２６      最適化情報記憶領域
【図１】
2018164207.tif 000003
【図２】
2018164207.tif 000004
【図３】
2018164207.tif 000005
【図４】
2018164207.tif 000006
【図５】
2018164207.tif 000007
【図６】
2018164207.tif 000008
【図７】
2018164207.tif 000009
【図８】
2018164207.tif 000010